(57)【要約】 【課題】植物体を傷つけず簡便に植物体を整形ないし変形することができる器具を提供する。【解決手段】植物体を傷つけることなく整形ないし変形するための整形具であって、該整形具は、整形を行うべき植物体の一面に当接する部材を有し、該部材が当接した部分の植物体に押圧を負荷しながら整形具を植物体の所望整形範囲に亘って摺動することにより植物体の所望範囲を整形ないし変形するための植物体の整形具および植物体の整形方法。【選択図】図６
2013132258.tif 000002
【特許請求の範囲】
【請求項１】
植物体を傷つけることなく整形ないし変形するための整形具であって、該整形具は、整形を行うべき植物体の一面に当接する部材を有し、該部材が当接した部分の植物体に押圧を負荷しながら整形具を植物体の所望整形範囲に亘って摺動することにより植物体の所望範囲を整形ないし変形することを特徴とする植物体生け花用整形具。
【請求項２】
整形具が、整形を行うべき植物体の一面に当接する部材と、該部材が当接した部分に対応した植物体の他面に当接する部材からなり、両部材により植物体に押圧を負荷しながら整形具を植物体の所望整形範囲に亘って摺動する請求項１に記載の植物体生け花用整形具。
【請求項３】
整形を行うべき植物体の部分が整形具で挟持される請求項２に記載の植物体生け花用整形具。
【請求項４】
整形具が棒状体である請求項１から３のいずれかに記載の植物体生け花用整形具。
【請求項５】
整形具の植物体に当接する部分の断面が、円形または楕円形を有している請求項１から４のいずれかにに記載の植物体生け花用整形具。
【請求項６】
整形具が板状体からなる請求項１から３のいずれかに記載の植物体生け花用整形具。
【請求項７】
板状体の一部または全面が植物体に接する請求項６に記載の植物体生け花用整形具。
【請求項８】
植物体の一面に当接する部材と他面に当接する部材が一体構造となっている請求項２から７のいずれかに記載の植物体生け花用整形具。
【請求項９】
上記の植物体が、平行葉脈、維管束が散在する葉物植物である請求項１から８のいずれかに記載の植物体生け花用整形具。
【請求項１０】
整形を行うべき植物体の部分が、葉、茎、枝、幹、花弁、または蔓である請求項１から８のいずれかに記載の植物体生け花用整形具。
【請求項１１】
請求項１から１０のいずれかに記載の植物体アレンジ用整形具と整形を行うべき植物体との組合せからなる生け花用組合せキット。
【請求項１２】
植物体を傷つけることなく整形するための整形方法であって、請求項１から１０のいずれかに記載の植物体アレンジ用整形具整形を用い、整形を行うべき植物体の部分の一面に整形具を当接し、整形具が当接した植物体の部分に植物体の他面から押圧を負荷するとともに整形具を植物体の所望整形範囲に亘って摺動することにより植物体の所望部分を整形ないし変形することを特徴とする植物体の整形方法。
【請求項１３】
上記整形法を繰り返して植物体に適用することにより所望の整形を達成する請求項１２に記載の植物体の整形方法。
【請求項１４】
請求項１２または１３に記載の方法で整形された部分を有する植物体またはそれを含む生け花用材料。
【請求項１５】
上記の植物体が、平行葉脈、維管束が散在する葉物植物である請求項１４に記載の整形された部分を有する植物体またはそれを含む生け花用材料。
【請求項１６】
整形された植物体の部分が、葉、茎、枝、幹、花弁、または蔓である請求項１４または１５に記載の整形された部分を有する植物体またはそれを含む生け花用材料。
【請求項１７】
上記の整形された部分を有する植物体またはそれを含む生け花用材料が、整形された植物体の部分、生花、切り花、観葉植物、または鉢物の形態である請求項１４から１６のいずれかに記載の整形された部分を有する植物体またはそれを含む生け花用材料。
【請求項１８】
上記の整形された部分を有する植物体またはそれを含む生け花用材料が、生け花、生花スタンド、ブライダルフラワー、ブライダルブーケ、フラワーディスプレイ、フラワーアレンジメント、コサージュ、アートフラワーおよび慶弔用盛り花からなる群から選ばれる生け花、またはそれを含む生け花用材料である請求項１４から１６のいずれかに記載の整形された部分を有する植物体またはそれを含む生け花用材料。
【発明の詳細な説明】
【技術分野】
【０００１】
本発明は、生け花など生花類を使用して装飾品を創作する際に有用な植物体を整形する技術に関するものであり、植物体生け花用整形具という簡便な手段により自然界では得られない形状の草花などの植物体を得ることができる。本発明により、生花を利用した芸術的創作活動の範囲を広げることができ、人々の生活を豊かに、美しく飾ることを可能とする。植物体生け花用整形具は、以下、単に「整形具」と称することがある。
【背景技術】
【０００２】
日本の伝統芸術である生け花は、四季折々の草木の枝、茎、花、葉などを素材に花器と組み合わせ、形をととのえてその姿の美しさ観賞する作品を作るものであり、花の色や質感、季節を考慮して組み合わせる事を「花材の取り合わせ」という。流派によって細やかに定めを規定しているが、自然調（和風趣向）と造型（現代花、洋風趣向）とに大分され、構成の仕方で取り合わせを考えるものである。
生け花においては、素材である花草木の配置を整え鑑賞に堪え芸術性に溢れる作品とするために補助的な道具類が使用されてきた。その中では、剣山が最もよく知られた生花素材の固定具であるということができる。しかしながら、剣山という従来からの定型物にとらわれることなく、活け方の自由化及び効率化に適した生花整形器の開発が望まれている。また、素材を芸術性に富んだ生け花とするには自然に成長した形を重視して採取した姿を利用することが好ましいが、自然から得た形状では意図する姿や形を表現することができないことがあり、その場合には、素材を人工的に若干成形することも行われている。
さらに、生け花では、生花を用いることが多いためそのみずみずしい生気を保と続けるように加工する技術が採用されていることもある。
【０００３】
こうした、生け花に採用されている剣山に類した技術の改善に係るものとしては、例えば、花を最初に活ける際および刺し直しする際に生けやすく、且つ花を刺し直すことなく花の向きを変えられる生花整形器を提供することを目的として、盤の上面に収容穴をあけ、収容穴に対して一つまたは複数の駒を抜き差し可能に挿入すると共に、収容穴内での駒の向きを段階的または無段階的に変更可能な形状に収容穴と駒を形成し、花を刺す下窄まりの主穴を駒の上面にあけ、収容穴内の駒と盤を一体化する拘束手段を有する生花整形器（特許文献１）や、熟練技術の有無に関わらず誰もが自分の意図する姿に生け花を容易に作り上げることができると共に、作り上げた生け花の花形の不動状態を確実に保持することができる生花整形体とその生花整形体に使用する花器を提供するものとして、生花整形体を平面視した場合において、花樹を安定させるための区画空隙を備えている花器（特許文献２）が提案されている。
【０００４】
また、剣山の針山に投枝を差し込んで、所望の傾きに保持することが生け花の初心者でも容易にかつ適切に行うことができる生け花用投枝保持具をして、表面が適面積のまたは角形などの任意形状で、剣山の針より低い高さを有し、剣山の針が貫通する程度の柔軟性と通水性を有する発泡性合成樹脂などよりなる平板状の据付板の上面に、中間部が湾曲自在で、任意の湾曲状態で維持可能な蛇腹管部とした、適径で所望長さの役枝保持管の複数本の下端部を、該役枝保持管が起立する状態に固着した生け花用役枝保持具が提案されている（特許文献３）、また、生花と同様の新鮮状態を維持し、かつ花弁の脱落・散乱のような問題を生じることのない装飾用植物部材を提供するにあたり、少なくとも花弁を有し化学的な保存整形が施された植物素材と、前記花弁を貫通するように、前記花弁に刺された複数の線材とを有することにより、茎に対する花弁の付着強度が高まり、茎収容部の下側に延びる部分が折り曲げ可能とし、花首の向きを任意に調整することができる装飾用植物部材（特許文献４）技術が提案されている。
【０００５】
また、植物自体を化学物質類により変質、強化することにより装飾性や耐久性を向上させることができ、例えば、蔓の如き天然素材は、自然界に存在したそのままの状態で、装飾品として用いることは僅かな衝撃でボロボロに崩れてしまい到底使用に耐えないことから使用は困難であったが、自然界に存在する蔓や枝葉の如き脆弱な天然素材を形態に着目して植物天然素材を採取し、採取後水分が蒸発する前にアクリレート系樹脂によって結合水及び自由水を樹脂に置換する樹脂含浸工程を行ない、次いで大気圧下、常温下で自然乾燥させた後、取付金具を小型のボルトナットを用いて取付け、真空蒸着によって含浸樹脂に結合する金属の被膜を形成する方法が提案されている（特許文献５）。
また、短時間で、植物基材の表面を比較的厚くコーティングすることを可能とする、植物の整形方法として、粘性の低い第１のジェルを植物基材の表面に塗布して、第１のジェルの比較的薄い塗膜を形成し、紫外線照射して第１のジェルの塗膜を完全に硬化させて、表面が滑らかな第１のコーティング層を形成する。次に、第１のコーティング層を有する植物基材に、粘性の高い第２のジェルを塗布して、第２のジェルの比較的厚い塗膜を形成し、紫外線照射して第２のジェルの塗膜を硬化させて、第２のコーティング層を形成する方法が提案されている（特許文献６）。
【先行技術文献】
【特許文献】
【０００６】
【特許文献１】特開２００７−１５９８５３号公報
【特許文献２】特開２００５−８７２２２号公報
【特許文献３】登録実用新案第３０７３９９５公報
【特許文献４】特開２００１−３４７７９９号公報
【特許文献５】特開２００６−５６１６３号公報
【特許文献６】特開２０１０−１４３８９１号公報
【発明の概要】
【発明が解決しようとする課題】
【０００７】
自然界に存在する植物天然素材を対象として、自然に造形がなされたそのままの形態で装飾品として用いることができるようにした装飾品の製造が理想ではあるが、自然に造形された植物体の品種の中から目的とする形状のものを見出すには非常に大きな労力と経費を必要とするため、従来、剣山などの固定補助具の使用や植物体の形状固定具、化学的な処理などが用いられている。
しかしながら、剣山の針山に役枝を斜めに差込んで所望の傾きに保持することは熟練した技術を要し経験の浅い者にとつては非常に困難であり、役枝が剣山より抜け出したり倒れたりするなどの問題点があった。また、植物体の茎や花弁を針金やパイプで物理的に補強、変形させるには、多種類の特殊な補強材料と多大な労力を必要とし、さらに非常に熟練を要する作業を必要とするものであった。
【０００８】
本発明者は、上記のごとき従来技術の現状に鑑み従来の生け花などの装飾用生花の整形を簡便になし得る新しい技術を開発することを目標として、鋭意研究開発を進めることにより本発明に到達したのであり、簡単な道具を使用することにより芸術的であると共に自然には存在しないような形状に整形した生花類を提供することを可能としたものである。本発明は、天然素材の自然界に存在したそのままの状態を生かすと共に、さらに人手により独特の形状に整形した植物体を有する芸術的装飾品として生花類を提供することを可能とするものである。
【課題を解決するための手段】
【０００９】
本発明は以下の（１）から（１０）に記載の植物体生け花用整形具を要旨としている。
（１）植物体を傷つけることなく整形ないし変形するための整形具であって、該整形具は、整形を行うべき植物体の一面に当接する部材を有し、該部材が当接した部分の植物体に押圧を負荷しながら整形具を植物体の所望整形範囲に亘って摺動することにより植物体の所望範囲を整形ないし変形することを特徴とする植物体生け花用整形具。
（２）整形具が、整形を行うべき植物体の一面に当接する部材と、該部材が当接した部分に対応した植物体の他面に当接する部材からなり、両部材により植物体に押圧を負荷しながら整形具を植物体の所望整形範囲に亘って摺動する上記（１）に記載の植物体生け花用整形具。
（３）整形を行うべき植物体の部分が整形具で挟持される上記（２）に記載の植物体生け花用整形具。
（４）整形具が棒状体である上記（１）から（３）のいずれかに記載の植物体生け花用整形具。
（５）  整形具の植物体に当接する部分の断面が、円形または楕円形を有している上記（１）から（４）のいずれかに記載の植物体生け花用整形具。
（６）整形具が板状体からなる上記（１）から（３）のいずれかに記載の植物体生け花用整形具。
（７）板状体の一部または全面が植物体に接する上記（６）に記載の植物体生け花用整形具。
（８）植物体の一面に当接する部材と他面に当接する部材が一体構造となっている上記（２）から（７）のいずれかに記載の植物体生け花用整形具。
（９）上記の植物体が、平行葉脈、維管束が散在する葉物植物である上記（１）から（８）のいずれかに記載の植物体生け花用整形具。
（１０）整形を行うべき植物体の部分が、葉、茎、枝、幹、花弁、または蔓である上記（１）から（８）のいずれかに記載の植物体生け花用整形具。
【００１０】
また、本発明は以下の（１１）に記載の生け花用組合せキットを要旨としている。
（１１）上記の（１）から（１０）のいずれかに記載の植物体アレンジ用整形具と整形を行うべき植物体との組合せからなる生け花用組合せキット。
【００１１】
また、本発明は以下の（１２）および（１３）に記載の植物体の整形方法を要旨としている。
（１２）植物体を傷つけることなく整形するための整形方法であって、請求項１から１０のいずれかに記載の植物体アレンジ用整形具整形を用い、整形を行うべき植物体の部分の一面に整形具を当接し、整形具が当接した植物体の部分に植物体の他面から押圧を負荷するとともに整形具を植物体の所望整形範囲に亘って摺動することにより植物体の所望部分を整形ないし変形することを特徴とする植物体の整形方法。
（１３）上記整形法を繰り返して植物体に適用することにより所望の整形を達成する上記（１２）に記載の植物体の整形方法。
【００１２】
また、本発明は以下の（１４）から（１８）に記載の整形された部分を有する植物体またはそれを含む生け花用材料を要旨としている。
（１４）上記の（１２）または（１３）に記載の方法で整形された部分を有する植物体またはそれを含む生け花用材料。
（１５）上記の植物体が、平行葉脈、維管束が散在する葉物植物である上記（１４）に記載の整形された部分を有する植物体またはそれを含む生け花用材料。
（１６）整形された植物体の部分が、葉、茎、枝、幹、花弁、または蔓である上記（１４）または（１５）に記載の整形された部分を有する植物体またはそれを含む生け花用材料。
（１７）上記の整形された部分を有する植物体またはそれを含む生け花用材料が、整形された植物体の部分、生花、切り花、観葉植物、または鉢物の形態である上記（１４）から（１６）のいずれかに記載の整形された部分を有する植物体またはそれを含む生け花用材料。
（１８）上記の整形された部分を有する植物体またはそれを含む生け花用材料が、生け花、生花スタンド、ブライダルフラワー、ブライダルブーケ、フラワーディスプレイ、フラワーアレンジメント、コサージュ、アートフラワーおよび慶弔用盛り花からなる群から選ばれる生け花、またはそれを含む生け花用材料である上記（１４）から（１６）のいずれかに記載の整形された部分を有する植物体またはそれを含む生け花用材料。
【発明の効果】
【００１３】
本発明により、自然に存在するままの状態での植物体を使用しては得られない形態の植物体が安定して得られ、草花などによる生け花などの装飾作品の創生に寄与することが大である。自然界では得られない形状の植物体が利用できることからこれまでにない美的創造が得られ人々の生活を明るく豊かにすることができる。また、植物体の形状を調整することにより従来利用されてはいなかった植物体の装飾品、ならびにいわゆる生け花という芸術のジャンルを超える新規なフラワーアレンジメント、フラワーディスプレイ、アートフラワー作品およびそれらの材料などへの利用を可能とする。本発明の植物体の整形具により、植物体の形状を短時間で、簡便に調整することができる。花本来の色、形、大きさで、ブーケ、花篭等の記念花を観賞することができる。
【図面の簡単な説明】
【００１４】
【図１】本発明による植物体整形の原理を示す。
【図２】二本の棒により葉を挟持して植物体を整形する具体例を示す。
【図３】板状体により葉を挟持して植物体の整形をする具体例を示す。
【図４】本発明の植物体の整形具を植物体に適用したときの断面を示す。
【図５】本発明の植物体整形方法を適用する前の自然に成長した葉物植物の一例としての観葉植物の外観を示す。
【図６】図５に示された観葉植物の各葉に本発明の植物体整形方法を適用した後の外観を示す。
【図７】本発明の植物体整形方法を適用する前の自然に成長した形態の葉物植物の一例としての他の植物の外観を示す。
【図８】図７に示された植物体の各葉に本発明の植物体整形方法を適用した後の外観を示す。
【図９】図８で整形した植物体を生け花に使用したときの外観およびその作品の一例を示す。
【発明を実施するための形態】
【００１５】
本発明は、植物体を傷つけることなく整形ないし変形するための整形具であって、該整形具は、整形を行うべき植物体の一面に当接する部材を有し、該部材が当接した部分の植物体に押圧を負荷しながら整形具を植物体の所望整形範囲に亘って摺動させることにより植物体の所望範囲を整形ないし変形することを特徴とする植物体の整形具またはこの整形具を使用する植物体の整形方法に関するものである。また、整形を行うべき植物体の一面に当接する部材と、該部材が当接した部分に対応した植物体の他面に当接する部材からなる整形具であってもよい。
【００１６】
本発明は、生け花においては、素材である花草木の配置を整え鑑賞に堪え芸術性に溢れる作品とするために使用される補助的な道具類とその使用に係るものであり、本発明の植物体の植物体の整形具を使用することにより、植物体を所望の形状に整形または変形することができ、従来にない形状の生花を使用した芸術性に溢れる生け花作品を創造することを可能とする。
従来、生け花作品を作製するにあたり、生花類を所望の形状となるように指先で曲げるなどしてその形状を調製することは行われてきたが、通常は曲げの力を加えても損傷しない程度の強度を有する茎や枝類に適用されるに過ぎなかった。また、生花類の形状を整えるに適した道具類が提供されることはなかった。本発明は、生け花などに使用される生花のあらゆる部分に適用することが可能な植物体の整形具および整形方法を提供するものである。
【００１７】
本発明の植物体の整形具が適用できる植物体としては、生け花に使用される植物であれば制限されない。草、木、花、蔦、蔓など生け花などに使用される整形された植物体の部分、生花、切り花、観葉植物、鉢物の形態である素材全般が含まれ、これらを加工した素材をも含むものである。具体的な部位として、葉、茎、枝、幹、花弁、蔓などを挙げることができるが、典型的な例としては「葉」を挙げることができ、それゆえ植物体としては、平行葉脈、維管束が散在する葉物植物が好ましいものとして例示される。それらの整形を行うべき植物体と本発明の植物体アレンジ用整形具との組合せからなる生け花用組合せキットとして提供することができる。
また、整形された部分を有する植物体またはそれを含む生け花用材料は、生け花、生花スタンド、ブライダルフラワー、ブライダルブーケ、フラワーディスプレイ、フラワーアレンジメント、コサージュ、アートフラワー、慶弔用盛り花などの生け花、あるいはそれを含む生け花用材料として、またはそれらの作品、あるいは製品として提供することができる。
本発明について以下に説明するには「葉」を例にするが、植物体の他の部位のものについてもそれに応じた力加減をすることにより適宜成形することができる。
本発明は図１に示すように、整形を行うべき植物体１の一面に当接する部材２を有し、該部材２が当接した部分の植物体に押圧Ａを負荷しながら整形具を植物体の所望整形範囲に亘ってＢ，Ｃ方向に摺動させることにより植物体の整形を行うものである。こうして植物体には両面から押圧が負荷されることとなり所望の方向、範囲を摺動させることにより、植物体を構成する繊維類に半恒久的な変形を付与するものである。本発明により付与された整形は少なくとも生花類が生け花の一員として存続できる期間、例えば、１〜３週間維持できることは確認されている。
【００１８】
植物体には、例えば、葉の表裏両面から押圧しながら摺動し、同時に所望の整形方向に曲げることを繰り返すことにより変形が行われる。変形の程度や形状は、植物体の種類、部位、部位の物性、負荷する力、力を負荷する回数、方向などに応じて決定されるため実験的手法に決定することにならざるをえない。
植物体の整形を実施するには、少なくとも植物体の一面に当接する剛性のある第１の部材を必要とし、植物体に押圧を負荷するには、該部材に対応する植物体の他の面に第２の部材が必要となる。このとき第２の部材は、剛性を有する材質である必要は必ずしもなくやわらかい物質でも差支えはない。第２の部材は、例えば、剛性のある金属類であってもよく、さらに木材、プラスチック類が使用できる。また、人の指を最２の部材として利用して押圧を負荷してもよい。
【００１９】
植物体の整形具を構成する植物体に当接する部材は、植物を損傷しないものであればその形状、材料の如何を問わないが、断面形状が円形あるいは楕円形をしていることが好ましい。例えば、図２に示すように断面が円形の棒状体２、３を葉１の表裏両面に当接して使用することができる。このとき棒状体の直径は約１ｍｍから１５ｍｍ程度、その長さは１０ｍｍから２０ｃｍ程度であることが好ましい。また、本整形具は、図４の（ｂ）に示すように板状体５、６からなることができる。棒状体２、３あるいは板状体５、６は一端で一体化させ他端が開いている形状とすることができる。図３に示した板状体４は開放端から葉を挿入して後、表裏から板状体４を押圧することにより押圧をかけることができる。
また、板状体の整形具では、図４の（ｃ）に示すように、板状体７の植物に当接する部分を丸い凸状部８となすことにより植物体の整形を簡便に実施できる。
【００２０】
次に本発明の植物整形具により植物の葉を整形した例を挙げて説明する。図５は生花店から入手した観葉植物の一種であり、幅広い葉は上向きにわずかにカールし、先端部は垂れ下がった形状をなしている自然に成長した形状をなしている。例えば、これらの葉のそれぞれがラセン状に巻いた形状に整形することにより自然界からは得られない形状の植物体とすることができる。こうして人工的に整形した植物体を生け花などに使用することにより、従来は見られなかった作品を創作することができる。図６には、本発明の植物体の整形具を使用して整形した葉の形状を有する観葉植物体が示されている。こうした大きくカールした葉に整形するには、本発明による整形を各葉に対して数回から十数回繰り返し行う必要がある。
【００２１】
図７、８には別の具体例が示されている。図７に示した植物体は細長い葉を有し、それぞれの葉は重力に従って大きく下方に垂れている。これらの葉に本発明の植物体の整形具を適用して整形すると、図８に示すように垂れた先端部が何度もねじれて大きくカールした形状となすことができる。このようにして整形した植物体を図９に示すように盛り花のフラワーアレンジメントなどに使用する。花器は、水盤状のような比較的浅い花器、ガラスや陶磁器のうつわ、缶などに給水スポンジ（含水材）を詰めて利用し、必要に応じて周りに画用紙を切って糊付けあるいはホッチキスでとめて銀紙などで飾った化粧枠を取り付けてから、まず葉物、花物、実物など活け、その後で、整形された葉物植物を挿して仕上げると、従来にない美的感覚を有する意匠を容易に創作することができる。図９のフラワーアレンジメントにおいては図８の整形された葉物植物の代わりに、図６の整形された葉物植物を用いてもよい。組み合わせる葉物、花物、実物も任意の組合せが可能である。また、図６の整形された葉物植物のうち一枚の葉をメインのお花とサブのお花と組み合わせるグリーンとして組み合わせて、揺れるブーケや花飾りを創作することができる。
【産業上の利用可能性】
【００２２】
本発明は、整形ないし変形するための整形具であって、整形を行うべき植物体の一面に当接する部材を有し、該部材が当接した部分の植物体に押圧を負荷しながら整形具を植物体の所望整形範囲に亘って摺動することにより、植物体の所望範囲を植物体を傷つけることなく整形ないし変形するための植物体の整形具および植物体の整形方法に関するものであり、生け花など植物体を使用して装飾品を創作するにあたり非常に有用な技術であって、生花類の使用を増進し、これまでにない形状の装飾品を創作し提供することを可能とする。さらに、本発明は主に室内装飾の変革を担い、生活を美しく豊かにすることに貢献するものである。
【符号の説明】
【００２３】
１：植物体の葉
２、３：棒状の植物整形具
４：二枚の板状が一端部で一体化した植物整形具
５、６：板状の植物整形具
７：内部に凸部を有する板状の植物整形具
８：凸状部
Ａ：押圧の負荷方向
Ｂ、Ｃ：植物体の整形具を摺動させる方向
【図１】
2013132258.tif 000003
【図２】
2013132258.tif 000004
【図３】
2013132258.tif 000005
【図４】
2013132258.tif 000006
【図５】
2013132258.tif 000007
【図６】
2013132258.tif 000008
【図７】
2013132258.tif 000009
【図８】
2013132258.tif 000010
【図９】
2013132258.tif 000011